(57)【要約】      （修正有）【課題】フラットＬＡＮ等のケーブルを容易に巻き取り、また、従来よりも径方向に小さい巻き取り具を提供する。【解決手段】ケース３に回転自在に支持された第一巻軸５１と、第一巻軸５１と軸心が一致され、第一巻軸５１と連動して回転する第二巻軸５２と、第一巻軸５１を回転させるハンドル４とを含み、第一巻軸５１にはケーブルの一端側が巻かれ、第二巻軸５２にはそのケーブル１の他端側１ｂが巻かれる。ハンドルを回すことにより、ケーブルを容易に巻き取ることができる。また、ケーブル１の一端側１ａ及び他端側１ｂを、異なる二つの巻軸である第一巻軸５１及び第二巻軸５２にそれぞれ巻くことにより、形成される二つのＬＡＮケーブルのロールは従来よりも径方向に小さくなる。したがって、従来よりも巻取り具を径方向に小さくすることが可能である。【選択図】図６
2010089859.tif 000002
【特許請求の範囲】
【請求項１】
ケースに回転自在に支持された第一巻軸と、
上記第一巻軸と軸心が一致され、上記第一巻軸と連動して回転する第二巻軸と、
上記第一巻軸を回転させるハンドルとを含み、
上記第一巻軸にはケーブルの一端側が巻かれ、上記第二巻軸にはそのケーブルの他端側が巻かれる巻取り具。
【請求項２】
請求項１に記載された巻取り具であって、
上記第一巻軸及び上記第二巻軸は、それぞれ同一回転部材の一端側及び他端側で構成され、
上記第一巻軸に巻かれた一端側のケーブル及び上記第二巻軸に巻かれた他端側のケーブルは、互いに仕切り板で仕切られており、同一方向に巻かれる、
ことを特徴とする巻取り具。
【請求項３】
請求項２に記載された巻取り具であって、
上記回転部材の内側に設けられたケーブル保持部材を更に含み、
上記ケーブルは、巻位置が上記軸心方向にずれるように、上記ケーブル保持部材に巻かれ、
上記ケーブル両端は上記回転部材の内側から外側に同一方向に引き出され、
上記回転部材の内側から外側に引き出された上記ケーブルの両端が、それぞれ上記ケーブルの一端側及び他端側を構成する、
ことを特徴とする巻取り具。
【請求項４】
請求項１から３の何れかに記載された巻取り具であって、
上記ケーブルは、幅方向の長さが厚さ方向の長さよりも長いフラットケーブルであり、
上記ケースのケーブル出入口に設けられ、互いの間隔が上記ケーブルの幅方向の長さよりも短い２つのガイドローラを更に含む、
ことを特徴とする巻取り具。
【請求項５】
請求項１から４の何れかに記載された巻取り具であって、
上記ケースのケーブル出入り口に設けられ、上記ケーブルの一端側と上記ケーブルの他端側とを仕切る出入口仕切り板を更に含む、
ことを特徴とする巻取り具。
【請求項６】
請求項１から５の何れかに記載された巻取り具であって、
上記第一巻軸に巻かれる一端側のケーブルの外周及び上記第二巻軸に巻かれる他端側のケーブルの外周に沿って伸びるガイド部材を更に含む、
ことを特徴とする巻取り具。
【発明の詳細な説明】
【技術分野】
【０００１】
この発明は、ケーブル、コード等を出し入れ容易に収容する巻取り具に関する。
【背景技術】
【０００２】
図９に示す、ケーブルの巻取り具が従来知られている。図９に記載された巻取り具は、フラットな形状をした一本のＬＡＮケーブル１の長さを調整するものである。ＬＡＮケーブル１の一端側１ａ及び他端側１ｂは、重なった状態で一つの巻軸２に巻かれている。ＬＡＮケーブル１の一端側１ａ及び他端側１ｂを引っ張ると、この図の例では巻軸２が反時計周り方向に回転して、ＬＡＮケーブル１の一端側１ａ及び他端側１ｂが巻取り具から引き出される。巻軸２を時計回り方向に回転すると、ＬＡＮケーブル１の一端側１ａ及び他端側１ｂが重なった状態で巻取り具に巻き取られる（例えば、非特許文献１参照。）。このようにして、ＬＡＮケーブル１の長さを調整する。
【非特許文献１】株式会社オブビエイター、［online］、［平成２０年８月６日検索］、インターネット＜URL:http://www.warrior.co.jp/terumaki.htm＞
【発明の開示】
【発明が解決しようとする課題】
【０００３】
従来のように、ＬＡＮケーブルの一端側及び他端側を重ねた状態で一つの巻軸に巻くと、その巻軸に巻かれたＬＡＮケーブルのロールは、一周あたりＬＡＮケーブルの厚さを二倍した長さだけ径方向に大きくなる。このため、ＬＡＮケーブルのロール及びこれを収容する巻取り具は、必要以上に径方向に大きくなり得るという問題がある。
【０００４】
この発明は、上記問題に鑑みて、従来と同じ長さのケーブルを巻き取ることができるにも関わらず、従来よりも径方向に小さい巻取り具を提供することを目的とする。
【課題を解決するための手段】
【０００５】
この発明による巻取り具は、ケースに回転自在に支持された第一巻軸と、第一巻軸と軸心が一致され、第一巻軸と連動して回転する第二巻軸と、第一巻軸を回転させるハンドルとを含み、第一巻軸にはケーブルの一端側が巻かれ、第二巻軸にはそのケーブルの他端側が巻かれる。
【発明の効果】
【０００６】
ケーブルの一端側及び他端側を、異なる二つの巻軸である第一巻軸及び第二巻軸にそれぞれ巻くことにより、形成される二つのケーブルのロールは従来よりも径方向に小さくなる。したがって、従来よりも巻取り具を径方向に小さくすることが可能である。
【発明を実施するための最良の形態】
【０００７】
図１から図６を参照して、この発明による巻取り具の一実施形態を以下説明する。
ケース３は、図１，図２に示すように、この例では偏平な方形箱状体であり、板金を折り曲げ加工等をすることにより成型される。ケース３は、ハンドル４及び回転部材５（図４，図５参照）を回転自在に支持する。すなわち、ケース３の外側に位置するハンドル４と、ケース３の内側に位置する回転部材５とは、ケース３の正面３ｃの中央部に形成された穴を介してねじ１３により固定されている。これにより、ハンドル４及び回転部材５は、連動して同一方向に回転する。
【０００８】
ケース３の裏面３ｄの一辺は、図２に示すように、隣接する面と蝶番で結合されている。裏面３ｄをケース３の本体に対して回動させることにより、裏面３ｄを開け閉めすることができる。図４に、裏面３ｄを開けた状態を示す。なお、ケース３の裏面３ｄの、上記一辺に対向する辺の縁部には、手回しねじ１４が保持されている。また、手回しねじ１４が縁部に保持された辺に隣接する、ケース３の面には、内側に折れ曲がる折曲部３ｅが形成されている（図４参照）。折曲部３ｅには、手回しねじ１４が螺合される穴３ｆが形成されている。手回しねじ１４を穴３ｆに螺合させることにより、裏面３ｄを閉めた状態に固定することができる。
【０００９】
図１，図２等に示すように、ケース３の正面３ｃ及び裏面３ｄには、貫通孔が形成されている。これにより、巻取り具の重量を軽くすることができる。また、ケーブルの残量を容易に確認することができる。ケース３には、取っ手３ｂが設けられており、持ち運びが容易になっている。
【００１０】
図１，図３に示すように、ハンドル４は、クランク状をしており、板状のアーム部４ａと、円柱形状のつかみ部４ｂと、円板４ｃとを備える。
【００１１】
ねじ１３は、アーム部４ａの一端に形成された穴に挿入され、円板４ｃに形成された穴に挿入され、ケース３の形成された穴を通って、回転部材５に螺合される。これにより、ハンドル４と回転部材５とが固定される。円板４ｃは、ケース３の正面の中央部に形成された穴よりも大きく、これによりハンドル４及び回転部材５の回転軸のブレを低減させる。
【００１２】
つかみ部４ｂは、アーム部４ａの他端においてアーム部４ａに対して回転自在に支持されている。これにより、手でつかみ部４ｂをつかんでハンドル４を回転しても、手の角度を一定に保つことができるため、ハンドル４の操作性が増す。また、つかみ部４ｂは、アーム部４ａに対して、折り畳み可能とされている。これにより、ハンドル４の非操作時においては、つかみ部４ｂを折り折り畳んで邪魔にならない位置に持って行くことができる。なお、つかみ部４ｂは折り畳まれた状態において、アーム部４ａの延伸方向と同一方向に延伸する。
【００１３】
回転部材５は、外周にケーブル１を巻くことができる略円筒形状の部材である。この例では、図４から図６に示すように、回転部材５は、八角形の平板部５ａと、その八角形の辺の１つ置きに位置する四つの辺から回転部材５の一方の軸心方向にそれぞれ突出する四つの凸部５ｂとから成る。凸部５ｂは、根本側が幅広、先端側が幅狭となっており、その幅広と幅狭の部分の境界に段部５ｃが形成されている（図６参照）。凸部５ｂの幅広となっている部分を幅広部、幅狭となっている部分を幅狭部と呼ぶことにする。
【００１４】
回転部材５の四つの凸部５ｂの幅狭部が、ドーナツ板状の仕切り板８の貫通孔に挿入される。仕切り板８は、段部５ｃに当接して、位置決めがなされる。図５に示すように、仕切り板８には切れ込みが入っており、その切れ込みの部分で仕切り板８の環は切断されている。これにより、仕切り板８に、径方向における変形についての弾性力を持たせることができ、仕切り板８の回転部材５への位置決めを容易にする。
【００１５】
回転部材５は、図４，図６等に示すように、内部に円筒状の二つのケーブル保持部材６，７を備えている。この例では、平板部５ａにケーブル保持部材６，７が固定される。
【００１６】
ケーブル１は、例えば幅方向の長さが厚さ方向の長さよりも長いフラットなＬＡＮケーブルである。ケーブル１の中央部は、図４，図５に示すように、ケーブル保持部材６に巻かれる。これにより、ケーブル１が抜け止めされる。ケーブル保持部材６を離れたケーブル１の一端側１ａ及び他端側１ｂは、ケーブル保持部材７に対して同一方向に巻かれて、凸部５ｂの側面まで導かれる。具体的には、ケーブル１の一端側１ａがある凸部５ｂの幅広部の側面まで導かれ、ケーブル１の他端側１ｂがその凸部５ｂの幅狭部の側面まで導かれる。そして、ケーブル１の一端側１ａ及び他端側１ｂは、その凸部５ｂの側面において回転部材５の内側から外側に同一方向に引き出される。
【００１７】
なお、ケーブル１は、図６に示すように、ケーブル保持部材６，７の周方向に対して斜めに巻かれる。換言すれば、巻位置が回転部材５の軸心方向にずれるように、ケーブル保持部材６，７に巻かれる。巻位置とは、ケーブル１とケーブル保持部材６，７とが接する位置のことである。すなわち、ケーブル保持部材６，７の周方向に進むに連れて、回転部材５の軸心方向に進むようにケーブル保持部材６，７に巻かれる。
【００１８】
もし、ケーブル１をケーブル保持部材６，７に巻かずに、ケーブル１を凸部５ｂの側面で無理に曲げると、ケーブル１が断線するか、ケーブル１の耐久性に問題が生じ得る。しかし、この実施形態のように、巻位置が回転部材５の軸心方向にずれるように、ケーブル１をケーブル保持部材６，７に巻くことにより、ケーブル１を緩やかに回転部材５の軸心方向に進行させることができ、ケーブル１を無理に変形させる必要はなくなる。したがって、ケーブル１の断線を防止することができ、ケーブル１の耐久性を増すことができる。
【００１９】
ケーブル１の一端側１ａは、四つの凸部５ｂの幅広部で構成される第一巻軸５１に巻かれる。また、ケーブル１の他端側１ｂは、四つの凸部５ｂの幅狭部で構成される第二巻軸５２に巻かれる。このように、回転部材５の軸心方向における一端側及び他端側が、それぞれ第一巻軸５１及び第二巻軸５２を構成する。ケーブル１の一端側１ａが巻かれる方向及びケーブル１の他端側１ｂが巻かれる方向は、この例では同じである。第一巻軸５１に巻かれたケーブル１の一端側１ａ及び第二巻軸５２に巻かれたケーブル１の他端側１ｂは、仕切り板８によって仕切られる。このように、仕切り板８は、ケース３の内部で生じ得るケーブル１の一端側１ａ及び他端側１ｂのもつれを防止する。
【００２０】
ケース３のケーブル出入口３ａには、この例では、図６等に示すように、二つのガイドローラ９，１０が設けられている。ケーブル１の一端側１ａ及び他端側１ｂは、これらのガイドローラ９，１０の間を通って、ケース３の外側に引き出される。この例では、ガイドローラ９，１０の間隔は、ケーブル１の幅方向の長さよりも短い。したがって、ケーブル１は、ガイドローラ９，１０の間でケーブル１のロール軸方向に１８０°回転することはなく、常に一定の向きでケース３内に巻戻される。したがって、ケーブル１を途中で裏返しにすることなく整然と巻くことができ、ケーブル巻き取り量を増やすことができる。なお、ガイドローラ９，１０は、ねじと、そのねじを覆いそのねじに対して回転可能な円筒部材とからなる。回転可能な円筒部材を用いることにより、ケーブル１の出し入れがスムーズになる。
【００２１】
ケース３のケーブル出入口３ａには、この例では、図３，図６ケーブル１の一端側１ａと、ケーブル１の他端側１ｂとを仕切る出入口仕切り板１１が設けられている。ガイドローラ９，１０の間を通過するケーブル１の一端側１ａ及び他端側１ｂは、出入口仕切り板１１で互いに隔てられて、ケース３の外側に引き出される。言い換えれば、ケーブル１の一端側１ａ及び他端側１ｂは、出入口仕切り板１１で互いに隔てられてから、ガイドローラ９，１０の間を通過して、それぞれ第一巻軸５１及び第二巻軸５２に巻かれる。したがって、ケーブル１の一端側１ａ及び他端側１ｂが重なった状態でガイドローラ９，１０の間に挟まれないようにすることができ、ケーブル１の出し入れをスムーズに行うことができる。
【００２２】
ケース３には、図６等に示すように、第一巻軸５１に巻かれる一端側１ａのケーブル１の外周及び第二巻軸５２に巻かれる他端側１ｂのケーブル１の外周に沿って伸びるガイド部材１２が設けられている。この例では、ケース３のケーブル出入口３ａからケーブル１の進入方向に向けて、仕切り板８の外周の約１／４に沿って、ガイド部材１２が設けられている。ガイド部材１２は、ケース３内におけるケーブル１の不必要な撓みを防止して、ケーブル１のもつれを防止する。
【００２３】
ケース３のケーブル出入口３ａにおいては、図３，図６に示すように、ケース３の互いに対向する正面３ｃと裏面３ｄとの間の距離が広がっている。これにより、ケーブル１の出し入れがスムーズになる。
【００２４】
このように、ケーブル１の一端側１ａ及び他端側１ｂを、異なる二つの巻軸である第一巻軸５１及び第二巻軸５２にそれぞれ巻くことにより、形成される二つのケーブルのロールは従来よりも径方向に小さくなる。したがって、従来よりも巻取り具を径方向に小さくすることが可能である。ケーブル１の長さが長いほど、巻取り具を径方向に小さくすることができるという効果が大きい。もちろん、巻取り具の厚み、すなわち巻取り具の回転部材５の軸心方向における長さは、大きくなるが、高々ケーブル１の幅方向の長さの約２倍大きくなる程度である。
【００２５】
［変形例等］
上記の例では、第一巻軸５１及び第二巻軸５２は、それぞれ同一の回転部材５の一端側及び他端側で構成されたが、それぞれ異なる二つの回転部材で構成されてもよい。すなわち、第一巻軸５１及び第二巻軸５２が別部材で構成されてもよい。この場合、第一巻軸５１及び第二巻軸５２は、連動して必ずしも同一方向に回転する必要はなく、また、ケーブル１の一端側１ａ及び他端側１ｂがそれぞれ同一方向に巻かれる必要もない。
【００２６】
ハンドル４は、クランク状のハンドルに限定されない。例えば、ハンドル４として、輪状のハンドルを用いてもよい。
【００２７】
仕切り板８、ガイドローラ９，１０、出入口仕切り板１１及びガイド部材１２等は必ずしも必要ではない。
【００２８】
ケース３の形状は、図１から図６の形状に限定されない。例えば、図７に示すように多角形の箱状、図８に示すように涙形の箱状であってもよい。図８に示すように、ケース３の形状を涙形の箱状にして、できる限り円形に近い形状にすることにより、巻取り具を最も小型化することができる。
【００２９】
ケーブル１は、フラットなＬＡＮケーブルに限定されない。この発明による巻取り具は、例えば、ＬＡＮケーブル以外のケーブルにも適用可能である。また、フラットではないケーブルにも適用可能である。
【００３０】
上記の例では、ケーブル１の一端側１ａ及び他端側１ｂは、それぞれ第一巻軸５１及び第二巻軸５２に一列で巻かれている。すなわち、それぞれ第一巻軸５１及び第二巻軸５２の軸心方向における同じ位置で巻かれている。しかし、このように一列で巻かれる必要はない。ケーブル１の一端側１ａ及び他端側１ｂは、それぞれ第一巻軸５１及び第二巻軸５２の軸心方向における異なる位置で巻かれてもよい。
【００３１】
回転部材５の凸部５ｂの幅広部及び／又は幅狭部の外側の面の両端を面取り加工してもよい。これにより、ケーブル１に傷が付きづらくなり、また、ケーブル１をより円形に近い形で巻き取ることができる。
その他、本発明の趣旨を逸脱しない範囲で適宜変更が可能であることはいうまでもない。
【図面の簡単な説明】
【００３２】
【図１】巻取り具の例の正面図。
【図２】巻取り具の例の裏面図。
【図３】巻取り具の例の側面図。
【図４】巻取り具の例の内部図。
【図５】ケーブルを除いた巻取り具の例の内部図。
【図６】巻取り具の例の斜視図。
【図７】巻取り具の他の例の正面図。
【図８】巻取り具の他の例の正面図。
【図９】従来技術による巻取り具を説明するための図。
【符号の説明】
【００３３】
１     ケーブル
１ａ   一端側
１ｂ   他端側
３     ケース
３ａ   ケーブル出入口
４     ハンドル
５     回転部材
５１   第一巻軸
５２   第二巻軸
６     ケーブル保持部材
７     ケーブル保持部材
８     仕切り板
９     ガイドローラ
１０   ガイドローラ
１１   出入口仕切り板
１２   ガイド部材
【図１】
2010089859.tif 000003
【図２】
2010089859.tif 000004
【図３】
2010089859.tif 000005
【図４】
2010089859.tif 000006
【図５】
2010089859.tif 000007
【図６】
2010089859.tif 000008
【図７】
2010089859.tif 000009
【図８】
2010089859.tif 000010
【図９】
2010089859.tif 000011